(57)【特許請求の範囲】
【請求項１】
矩形の第一のシートと、これと略同じ大きさの第二のシートとが三側端で貼り合わされて封筒形態を成す封筒形の帳票において、
前記第二のシートの外側には、シート全面に粘着剤層が形成され、その外側には粘着剤層を保護するための剥離紙が形成され、
更に前記第二のシートには、封緘用ラベルおよび別途用意される配送伝票への貼り込み用ラベルが、ハーフカット部によって剥離紙から引き剥がし可能に形成されたことを特徴とする封緘機能付き帳票。
【請求項２】
請求項１に記載の封緘機能付き帳票において、
第一のシートには、貼付される配送伝票の貼付方法に関する情報が印刷されたことを特徴とする封緘機能付き帳票。
【請求項３】
請求項１または２記載の封緘機能付き帳票において、
前記封緘用ラベルおよび前記貼り込み用ラベルは、前記第二のシートの未貼り合わせ辺に延出して形成され、ハーフカット部により区分されていることを特徴とする封緘機能付き帳票。
【請求項４】
請求項１または２に記載の封緘機能付き帳票において、
前記封緘用ラベルおよび前記貼り込み用ラベルが封筒内部となる位置に設けられ、前記各ラベルの周囲にハーフカット部を設け、前記第二のシート裏面の剥離紙を引き剥がすことで、前記各ラベルが前記第二のシートから分離して剥離紙上に残るようにしたことを特徴とする封緘機能付き帳票。
【請求項５】
請求項１または２に記載の封緘機能付き帳票において、
接着されていない一側端の第一のシートには、折り畳み兼開封用ミシン目と舌片状の切込みが形成され、第二のシートの前記折り畳み兼開封用ミシン目に対向した部分には切込みが形成され、
第一のシートには、透視可能な窓が形成され、前記窓からは、第二のシートに印刷された表示文が表出するようにしたことを特徴とする封緘機能付き帳票。
【請求項６】
請求項１〜５何れか一項に記載の封緘機能付き帳票において、
前記第一のシートと前記第二のシートとの間には、少なくとも一枚の控用帳票が設けられ、前記第一のシートと前記第二のシートによって形成される封筒型の帳票内側から切り離し可能であることを特徴とする封緘機能付き帳票。
【請求項７】
請求項３に記載の封緘機能付き帳票の使用方法であって、
封筒形の帳票の内側に所定の伝票を封入し、剥離紙を剥離し、前記封筒形の帳票を粘着剤層で配送物に貼付し、剥離紙面に残された封緘用ラベルまたは貼り込み用ラベルを封入部に貼付し、配送伝票を第一のシートの表面に印刷された貼付方法に従って貼付することを特徴とする封緘機能付き帳票の使用方法。
【請求項８】
請求項４記載の封緘機能付き帳票の使用方法であって、
封筒形の帳票の内側に所定の伝票を封入し、剥離紙を剥離し、前記封筒形の帳票を粘着剤層で配送物に貼付し、剥離紙面に残された封緘用ラベルを封入部に貼付し、第一のシートの表面に印刷された指示に従って配送伝票を貼付し、配送伝票の所定の位置に貼り込み用ラベルを貼付することを特徴とする封緘機能付き帳票の使用方法。
【請求項９】
請求項５記載の封緘機能付き帳票の使用方法であって、
封筒形の帳票内側に所定の伝票を封入し、第一のシートに形成された透視可能な窓から、封入された伝票を確認し、剥離紙を剥離し、第一のシートの突き出た紙片に形成された折り畳み兼開封用のミシン目で前記突き出た紙片部を折り畳み、第二のシートの裏側の粘着剤層に接着させ、封筒形帳票を粘着剤層で配送物に貼付し、剥離紙面に残された貼り込み用ラベルを配送伝票の所定の位置に貼付することを特徴とする封緘機能付き帳票の使用方法。
【請求項１０】
請求項６記載の封緘機能付き帳票の使用方法であって、
請求項６に記載の少なくとも一枚の控用帳票が封筒形の帳票から切り離されて、配送物授受の確認のために使用されることを特徴とする封緘機能付き帳票の使用方法。
【発明の詳細な説明】
【技術分野】
【０００１】
本発明は、発注された商品が購入者指定の取扱店に届けられ、商品代金が商品と引き換えに支払われるシステム（代引サービス）に使用される封緘機能付き帳票とその使用方法に関する。
【背景技術】
【０００２】
近年、インターネットで注文して商品を購入するネット取り引きが日常的に行われている。購入者は、商品の注文をネット上で行ない、宅配便などで商品を配送してもらい、商品と引き換えに代金を支払ったり、振込用紙でコンビニエンスストアや銀行で支払ったりしている。
一方、荷物を配送する側では、依然として受取人不在対応が課題になっており、課題対応策のひとつとしてコンビニエンスストアでの受取サービスを始めている。
これにより、配送業者側ではコンビニエンスストアに預けることで受取人不在という状況がなくなり、コンビニエンスストアとしては顧客の利便性向上と集客力向上につながり、受取人は荷物のために家で待機している必要がなくなる。
【０００３】
コンビニエンスストアを介在して、商品を受け渡す方法として、「宅配ボックス併設式コンビニエンスストア、私書箱兼用宅配ボックス併設式郵便局、及び、オンライン決済システムショップ併設宅配ボックスの運用方法」が提供されている（特許文献１参照）。
特許文献１で開示されている技術は、まず、コンビニエンスストアにそれぞれ独自に開閉制御可能な扉を有する多数の収容室を有する商品受渡しボックスを設け、運送業者は商品受渡しボックスの所定の収容室に通信販売による配送商品を入庫し、購入者はコンビニエンスストアに代金を支払って商品受渡しボックスから該当する配送商品を取り出し、コンビニエンスストアは端末，通信回線を使ってコンビニエンスストア用のオンラインコンピュ−タ決済システムを通じて販売業者の口座に送金するというものである。
【０００４】
【特許文献１】特開２００１−３５７４５３
【発明の開示】
【発明が解決しようとする課題】
【０００５】
しかしながら、コンビニエンスストアでのサービスは、現時点では発払いによる荷物に限定され、何らかの金銭授受を伴う着払い配送物や、代引配送物は対象とされていない。
昨今、通販による配送物が増加し、代引サービス対象の配送物も増加する傾向にあり、コンビニエンスストアにおける代引サービスへの効率的な対応が課題になっている。
そこで、本発明では、配送業者が使用している従来の配送伝票がそのまま使用でき、コンビニエンスストア側にも大きな負荷を掛けるこがなく、配送された荷物の取り扱い方法が一瞥しただけで判別でき、さらに、振込用紙や請求書などが配送途中で紛失することがなく、かつ、コンビニエンスストアなどの店頭で容易に開封できる封緘機能付き帳票とその使用方法を提供することを目的とする。
【課題を解決するための手段】
【０００６】
前記課題の目的を達成するために本発明の封緘機能付き帳票の請求項１に記載の発明は、矩形の第一のシートと、これと略同じ大きさの第二のシートとが三側端で貼り合わされて封筒形態を成す封筒形の帳票において、前記第二のシートの外側には、シート全面に粘着剤層が形成され、その外側には粘着剤層を保護するための剥離紙が形成され、更に前記第二のシートには、封緘用ラベルおよび別途用意される配送伝票への貼り込み用ラベルが、ハーフカット部によって剥離紙から引き剥がし可能に形成されたことを特徴とするものである。
【０００７】
また、請求項２に記載の発明は、請求項１に記載の発明において、第一のシートには、貼付される配送伝票の貼付方法に関する情報が印刷されたことを特徴とするものである。
【０００８】
また、請求項３に記載の発明は、請求項１または２記載の発明において、前記封緘用ラベルおよび前記貼り込み用ラベルは、前記第二のシートの未貼り合わせ辺に延出して形成され、ハーフカット部により区分されていることを特徴とするものである。
【０００９】
また、請求項４に記載の発明は、請求項１または２に記載の発明において、前記封緘用ラベルおよび前記貼り込み用ラベルが封筒内部となる位置に設けられ、前記各ラベルの周囲にハーフカット部を設け、前記第二のシート裏面の剥離紙を引き剥がすことで、前記各ラベルが前記第二のシートから分離して剥離紙上に残るようにしたことを特徴とするものである。
【００１０】
また、請求項５に記載の発明は、請求項１または２に記載の発明において、接着されていない一側端の第一のシートには、折り畳み兼開封用ミシン目と舌片状の切込みが形成され、第二のシートの前記折り畳み兼開封用ミシン目に対向した部分には切込みが形成され、第一のシートには、透視可能な窓が形成され、前記窓からは、第二のシートに印刷された表示文が表出するようにしたことを特徴とするものである。
【００１１】
また、請求項６に記載の発明は、請求項１〜５何れか一項に記載の発明において、前記第一のシートと前記第二のシートとの間には、少なくとも一枚の控用帳票が設けられ、前記第一のシートと前記第二のシートによって形成される封筒型の帳票内側から切り離し可能であることを特徴とするものである。
【００１２】
また、請求項７に記載の発明は、請求項３に記載の封緘機能付き帳票の使用方法であって、封筒形の帳票の内側に所定の伝票を封入し、剥離紙を剥離し、前記封筒形の帳票を粘着剤層で配送物に貼付し、剥離紙面に残された封緘用ラベルまたは貼り込み用ラベルを封入部に貼付し、配送伝票を第一のシートの表面に印刷された貼付方法に従って貼付することを特徴とするものである。
【００１３】
また、請求項８に記載の発明は、請求項４記載の封緘機能付き帳票の使用方法であって、封筒形の帳票の内側に所定の伝票を封入し、剥離紙を剥離し、前記封筒形の帳票を粘着剤層で配送物に貼付し、剥離紙面に残された封緘用ラベルを封入部に貼付し、第一のシートの表面に印刷された指示に従って配送伝票を貼付し、配送伝票の所定の位置に貼り込み用ラベルを貼付することを特徴とするものである。
【００１４】
また、請求項９に記載の発明は、請求項５記載の封緘機能付き帳票の使用方法であって、封筒形の帳票の内側に所定の伝票を封入し、第一のシートに形成された透視可能な窓から、封入された伝票を確認し、剥離紙を剥離し、第一のシートの突き出た紙片に形成された折り畳み兼開封用のミシン目で前記突き出た紙片部を折り畳み、第二のシートの裏側の粘着剤層に接着させ、封筒形帳票を粘着剤層で配送物に貼付し、剥離紙面に残された貼り込み用ラベルを配送伝票の所定の位置に貼付することを特徴とするものである。
【００１５】
また、請求項１０に記載の発明は、請求項６記載の封緘機能付き帳票の使用方法であって、請求項６に記載の少なくとも一枚の控用帳票が封筒形の帳票から切り離されて、配送物授受の確認のために使用されることを特徴とするものである。
【発明の効果】
【００１６】
本願発明によれば、以下のような効果がある。
１）矩形の第一のシートと、これと略同じ大きさの第二のシートとが三側端で貼り合わされて封筒形態を成す封筒形の帳票（以下、単に封筒形帳票ともいう）において、前記第二のシートの外側には、シート全面に粘着剤層が形成され、その外側には粘着剤層を保護するための剥離紙が形成され、更に前記第二のシートには、封緘用ラベルおよび別途用意される配送伝票への貼り込み用ラベルが、ハーフカット部によって剥離紙から引き剥がし可能に形成されたことによって、配送された荷物がどのように取り扱われなければならないか一瞥しただけで判別できる。
２）また、振込用紙や請求書などが配送途中で紛失することがないために配送業者や、取扱店に負担をかけることなく同時決済サービスを推進することができる。また、第一のシートには、貼付される配送伝票の貼付方法に関する情報が印刷されたことによって、初めて使用する者に対しても配送伝票と一緒に使用する方法を理解させることができる。
３）また、封筒形帳票の接着されていない一側端の第一のシートには、折り畳み兼開封用ミシン目と舌片状の切込みが形成され、第二のシートの前記折り畳み兼開封用ミシン目に対向した部分には切込みが形成され、第一のシートには、透視可能な窓が形成され、前記窓からは、第二のシートに印刷された表示文が表出したことによって、配送物を受け取った側では、封筒形帳票の中に振込用紙や請求書が封入されているか否か一瞥して判断することができ、また、封緘部で容易に開封することができる。
４）また、封筒形帳票の内側には、少なくとも一枚の控用帳票が封筒内側から切り離し可能に形成されたことによって、例えば、運送業者と取扱店での配送物の授受が明確になる。
５）また、封緘機能付き帳票を配送物に貼付する際も判りやすく、また、従来の配送伝票との共用方法にも無理がなく、配送物に貼付する際に場所をとらず、請求書を安全に送付することができ、配送伝票の貼付位置によって同時決済の配送物であるか否か判別できるために配送物を受け取って保管する側でも便利である。
６）また、封緘機能付き帳票の使用方法において、少なくとも一枚の控用帳票が封筒形帳票から切り離されて、配送物授受の確認のために使用されることによって、例えば、運送業者と取扱店での配送物の授受が明確になる。
【発明を実施するための最良の形態】
【００１７】
以下、図面を参照して本発明の封緘機能付き帳票とその使用方法について説明する。
図１は、本発明の封緘機能付き帳票の一例について説明するための図，図２は、図１のＸ−Ｘ線断面について説明するための図，図３は、図１で説明した封緘機能付き帳票の使用方法の一例について説明するための図，図４は、本発明の封緘機能付き帳票の他の一例について説明するための図，図５は、図４で説明した封緘機能付き帳票の使用方法の一例について説明するための図，図６は、本発明の封緘機能付き帳票の他の一例について説明するための図，図７は、図６で説明した封緘機能付き帳票の使用方法の一例について説明するための図，図８は、控用帳票の一例について説明するための図，である。
【００１８】
図１を参照して、本発明の封緘機能付き帳票の一例について説明する。
本発明の封緘機能付き帳票１０は、第一のシート１と、上下方向の寸法が同じで左右方向の長さが若干長い第二のシート３が、上下側端部と図の左側で接着されて封筒形帳票を形成している。
第一のシート１と第二のシート３によって形成された封筒形帳票の中には、封筒の開封口から引き抜きが可能なように控用帳票２が左端で綴じられている。
【００１９】
第一のシート１の上端部と下端部に、この封筒形帳票はコンビニエンスストア（以下、コンビニともいう）受け渡しサービスシステムに使用される帳票であることを示す表示文Ａ１１ａと、表示文Ｂ１２ａが印刷されている。
表示文Ａ１１ａのエリアには「同時決済サービス付き」と印刷され、表示文Ｂ１２ａのエリアには「振込用紙が無い場合は、コンビニ同時決済はできません」と印刷されている。
また、表示文Ａと表示文Ｂの間には、この封緘機能付き帳票の上に貼付される配送伝票の貼り方に関する説明文が「コンビニ同時決済サービスをご利用の場合は、下図１のように、また、同サービスをご利用にならない場合は、下図２のように配送伝票を貼付してください」と印刷されている。
【００２０】
第二のシート３の裏側には粘着剤が形成されており、図示しない剥離紙から前記封筒形帳票を剥がして、配送物に貼付するようになっている。
第二のシート３の表出部分には、「同時決済サービス付き」と印刷された貼り込み用ラベル３１ａ，「同時決済はありません」と印刷された貼り込み用ラベルが形成されている。
第二のシート３に印刷された「同時決済サービス付き」と印刷されたラベル部と、「同時決済はありません」と印刷されたラベル部の境界、及び、「同時決済サービス付き」と印刷されたラベル部の左側には、ハーフカット３２ａが形成され、それぞれの貼り込み用ラベルは、前記剥離紙から剥がされて配送伝票に貼付されて使用されるようになっている。
【００２１】
また、第一のシート１と第二のシート３の間、即ち封筒形帳票の中には図８に示すような控用帳票２が挿入され、綴じ合わされている。
控用帳票２には、二つの切取りミシン２１，２２が形成され、閉じ部近傍の切取りミシン２１は、控用帳票２の中央部の切取りミシン２２より切れ易く調整されている。
封筒形帳票の入り口から控用帳票２を摘んで引っ張ると、切取りミシン２１から切り離され、「取扱店控」と「運送会社控」が連接された状態で引き出される。
「取扱店控」と「運送会社控」は、中央部の切取りミシン２２で切り離されて使用される。
また、それぞれの控用帳票にはファイル用のファイル孔２３がそれぞれ二個形成されている。
配送業者は、バーコードなどで印字された配送伝票番号を、配送業者が所持するハンディー端末で読取り、粘着ラベルなどに印字し、控用帳票２の「運送会社控」に貼付して持ち帰る。
【００２２】
図２を参照して、図１のＸ−Ｘ線断面について説明する。
封緘機能付き帳票は、第一のシート１，控用帳票２，第二のシート３が綴じ部４１で綴じ合わされ、第二のシート３には、裏側に粘着剤層５が形成され、粘着剤層５を被覆する剥離紙６がその外側に形成されている。
即ち、第二のシートは粘着紙になっており、第一のシート１，控用帳票２，粘着紙が綴じ部４１で綴じ合わされた構造になっている。
控用帳票２には、切取りミシン２１，２２が形成されている。
また、第二のシート３にはハーフカット３２ａが貼り込み用ラベル３１ａの左右２箇所に形成され、貼り込み用ラベル３１ａが粘着剤５を伴って剥離紙６から剥がされて使用されるようになっている。
【００２３】
図３を参照して、図１で説明した封緘機能付き帳票の使用方法の一例について説明する。
商品（配送物）の発送者は、ａ図に示すように、封緘機能付き帳票１０の封入部から振込用紙（請求書）７を封入する。
次に、ｂ図に示すように、振込用紙７が封入された封筒形帳票１００ａを剥離紙６から剥がす。
封筒形帳票１００ａが剥ぎ取られた剥離紙６には、「同時決済サービス付き」と印刷された貼り込み用ラベル３１ａと、「同時決済はありません」と印刷された貼り込み用ラベル（図示せず）が残される。
ｃ図に示すように、剥ぎ取られた封筒形帳票１００ａを配送物９に貼付する。
ｄ図に示すように、配送情報が記載された配送伝票８を封筒形帳票１００ａに指定されたとおり貼付し、剥離紙６から剥がした「同時決済サービス付き」と印刷された貼り込み用ラベル３１ａを封筒形帳票１００ａの封入口を封緘するように封筒形帳票１００ａの封入口と配送物に貼付する。
封筒形帳票１００ａに配送伝票８が貼付された状態で、封筒形帳票１００ａから表示文Ａ１１ａが表出した状態になっていることを確認する。
配送物を受け取った取扱店の担当者、または、受取人は封筒形帳票の封緘部から「同時決済サービス付き」と印刷された貼り込み用ラベル３１ａを剥がして所定の処理を行う。
【００２４】
図４を参照して、本発明の封緘機能付き帳票の、他の一例について説明する。
本発明の封緘機能付き帳票は、第一のシート１と、第一のシート１と同サイズの第二のシート３が、上下側端部と図の左側で接着されて封筒形帳票を形成している。
第一のシート１と第二のシート３によって形成された封筒形帳票の間には、封筒形帳票の開封口から引き抜き可能に控用帳票２が綴じられて形成されている。
第一のシート１の左側端部には、この封筒形帳票は、「コンビニ受け渡しサービス」システムに使用される帳票であることを示す表示文Ａ１１ｂが印刷されている。また、表示文Ａ１１ａのエリアには「同時決済サービス付き」と併記されて印刷されている。
また、第一のシート１の中央部には、この封緘機能付き帳票の上に貼付される配送伝票の貼り方に関する説明文、「コンビニ同時決済サービスをご利用の場合は、下図１のように、また、同サービスをご利用にならない場合は、下図２のように配送伝票を貼付してください」が印刷されている。
さらに、第一のシート１の右端部に配送伝票を貼付する境界を示す表示ミシン１４と、封緘用ラベル３３を貼付するためのミシンマーク１３が切込みを伴って形成されている。
【００２５】
第二のシート３は粘着紙になっており、図示しない剥離紙から前記封筒形帳票を剥がして、配送物に貼付するようになっている。
前記剥離紙には「同時決済サービス付き」と印刷された貼り込み用ラベル３１ｂ，「同時決済はありません」と印刷された貼り込み用ラベル，「緘」の文字が印刷された封緘用ラベル３３がハーフカットにより剥離紙から剥離可能に形成されている。
「緘」の文字が印刷された封緘用ラベル３３は、第一のシート１のミシンマーク１３部に、「同時決済サービス付き」と印刷されたラベル３１ｂは配送伝票にそれぞれ貼付されて使用される。
【００２６】
図５を参照して、図４で説明した封緘機能付き帳票の使用方法の一例について説明する。
商品（配送物）の発送者は、ｅ図に示すように封緘機能付き帳票１０の封入部から振込用紙（請求書）７を封入する。
次に、ｆ図に示すように、振込用紙７が封入された封筒形帳票１００ｂを剥離紙６から引き剥がす。
封筒形帳票１００ｂが剥ぎ取られた剥離紙６には、「同時決済サービス付き」と印刷された貼り込み用ラベル３１ｂと、「同時決済はありません」と印刷された貼り込み用ラベルと、封緘用ラベル３３が残される。
ｇ図に示すように、剥ぎ取られた封筒形帳票１００ｂを配送物９に貼付する。
ｈ図に示すように、配送情報が記載された配送伝票８を封筒形帳票１００ｂに指定されたとおり貼付し、剥離紙６から剥がした「同時決済サービス付き」貼り込み用ラベル３１ｂを配送伝票８の所定の位置（複写用の配送伝票の場合は、貼付票の所定の位置）に貼付し、封緘用ラベル３３を封筒形帳票１００ｂの封入口を封緘するように封筒形帳票１００ｂの封入口と配送物に貼付する。
封筒形帳票１００ｂに配送伝票８が貼付された状態で、封筒形帳票１００ｂの左側端から表示文Ａ１１ｂが表出した状態になっていることを確認する。
商品を受け取った取扱店の担当者、または、受取人は封筒形帳票の封緘部から封緘用ラベル３３を剥がして所定の処理を行う。
【００２７】
図６を参照して、本発明の封緘機能付き帳票の、他の一例について説明する。
第一のシート１の下端には、この封筒形帳票は、「コンビニ受け渡しサービス」システムに使用される帳票であることを示す表示文Ｃ１８が印刷によって表示され、その上部に開口部（窓）１７が形成されている。
また、窓１７の上部には、「配送伝票は、この上に、窓部にかからないように貼付してください」などと配送伝票の貼付位置に関する表示文Ｃ１８が印刷されている。
さらに、第一のシート１の右端部に、第一のシート１の折り畳み部を表示する折り畳み表示マーク１５と、開封のための摘み部１６が切込みを伴って形成されている。
第一のシート１の右端部、折り畳み表示マーク１５の右側は、第二のシート部が剥離紙から剥がされて封筒形帳票になったときに、第二のシートの裏側に折り畳まれて封緘されるフラップの役割を果たす。
【００２８】
第二のシート３を含む第二のシートから下の部分は、粘着紙になっており、図示しないが剥離紙から前記封筒形帳票を剥がして、商品（配送物）に貼付するようになっている。
第二のシート３には、「同時決済サービス付き」，「同時決済はありません」などの表示文が印刷され、前記剥離紙から剥がされて配送伝票に貼付されて使用されるように、表示文の周縁にはハーフカットが施されている。
さらに、第二のシート３には、第一のシートの折り畳み表示マーク１５に対応する位置にハーフカット３５が形成され、長さ調整用紙片３６を切り離すようになっている。前記、「同時決済サービス付き」，「同時決済はありません」などの貼り込み用ラベルは、この長さ調整用紙片３６の中に設けることもできる。
また、第二のシート３には、第一のシート１の窓部から表出する位置に、例えば、図に示すように、「コンビ二同時決済サービス」，「振込用紙が無い場合、コンビニ同時決済はありません。」なる表示文Ｂ３４が印刷されている。
また、第一のシート１と、第二のシート３の間に綴じ合わされた控用帳票２ｃは、第一のシート１の窓部１７から、第二のシートに印刷された前記表示文Ｂ１２ｃが表出するように、狭い幅で形成される。
【００２９】
図７を参照して、図６で説明した封緘機能付き帳票の使用方法の一例について説明する。
ｉ図に示すように、商品（配送物）の発送者は、封緘機能付き帳票１０の封入部から振込用紙（請求書）７を封入する。
ｊ図に示すように、振込用紙（請求書）７が封入されると、窓１７に表出していた表示文Ｂ３４が一部，または、全部が見えない状態になり、振込用紙（請求書）７が封入されていることを作業者に告げる。
振込用紙７が封入された封筒形帳票１００ｃが剥離紙６から剥がされ、剥離紙６には、図示しないが「同時決済サービス付き」と印刷された貼り込み用ラベルと、「同時決済はありません」と印刷された貼り込み用ラベルと、右端の長さ調整用紙片３６が残される。
ｋ図に示すように、剥ぎ取られた封筒形帳票１００ｃの、右端の折り畳み表示マーク１５を粘着剤側に折り畳み、摘み部１６を残して、ｌ図に示すように、封筒形帳票１００ｃを配送物９に貼付する。
ｍ図に示すように、封筒形帳票１００ｃの上部に印刷された、「窓１７にかからないように」なる配送情報が記載された配送伝票８を貼付する。
次いで、剥離紙６から剥がした「同時決済サービス付き」と印刷された貼り込み用ラベル３１ｃを配送伝票８の所定の位置（複写用の配送伝票の場合は、貼付票の所定の位置）に貼付する。
配送伝票８が貼付された状態で、表示文Ｃ１８と窓の中の振込用紙が見えることを確認する。
商品を受け取った取扱店の担当者、または、受取人は封筒形帳票の封緘部の舌片摘み部を引き上げ開封ミシンを破壊して所定の処理を行う。
【００３０】
図３，図５，図７において、「同時決済サービス付き」と印刷された貼り込み用ラベル３１ａ，３１ｂ，３１ｃを使用する場合についてのみ説明したが、本発明の封緘機能付き帳票がたまたま「同時決済を行わない」商品に貼付されて使用される場合は、配送伝票及び「同時決済はありません」と印刷された貼り込み用ラベルを所定の場所に貼付して使用する。
【００３１】
また、商品を受け取った取扱店の担当者が行う「所定の処理」は、控用帳票を封筒型帳票から取り出し、配達員がプリントした粘着ラベルが「運送会社控」に貼付されたことを確認する作業，決済の際に振込用紙を取り出す作業などをいう。前記粘着ラベルには、配送伝票から読取られた配送伝票番号と同一の番号が印字されている。
また、商品を受け取った受取人（発注者，購入者）が行う所定の処理は、自ら封緘部を開封し、封筒形帳票の中から振込用紙（請求書）を取り出す作業、または、取り出した振込用紙（請求書）に基づいて決済する作業をいう。
【産業上の利用可能性】
【００３２】
本発明の封緘機能付き帳票は、発注された商品が購入者指定の取扱店に届けられ、商品代金が商品と引き換えに支払われるシステムに使用される。
【図面の簡単な説明】
【００３３】
【図１】本発明の封緘機能付き帳票の一例について説明するための図である。
【図２】図１のＸ−Ｘ線断面について説明するための図である。
【図３】図１で説明した封緘機能付き帳票の使用方法の一例について説明するための図である。
【図４】本発明の封緘機能付き帳票の、他の一例について説明するための図である。
【図５】図４で説明した封緘機能付き帳票の使用方法の一例について説明するための図である。
【図６】本発明の封緘機能付き帳票の、他の一例について説明するための図である。
【図７】図６で説明した封緘機能付き帳票の使用方法の一例について説明するための図である。
【図８】控用帳票の一例について説明するための図である。
【符号の説明】
【００３４】
１      第一のシート
２，２ｃ   控用帳票
３      第二のシート
４      接着剤，接着部
５      粘着剤，粘着剤層
６      剥離紙
７      振込み用紙，請求書
８      配送伝票
９      配送物
１０    本発明の封緘機能付き帳票
１１ａ，１１ｂ  表示文Ａ
１２ａ，１２ｂ，３４  表示文Ｂ
１３    切込みを伴うミシンマーク
１４    表示ミシン
１５    折り畳み表示マーク
１６    摘み部
１７    窓，開口部
１８    表示文Ｃ
２１，２２  切り取り用ミシン
２３    ファイル孔
３１ａ，３１ｂ，３１ｃ  貼り込み用ラベル
３２ａ，３５  ハーフカット
３３    封緘用ラベル
３６    長さ調整用紙片
４１    綴じ部
１００ａ，１００ｂ，１００ｃ  封筒形の帳票
【図１】
0004788283.tif 000002
【図２】
0004788283.tif 000003
【図３】
0004788283.tif 000004
【図４】
0004788283.tif 000005
【図５】
0004788283.tif 000006
【図６】
0004788283.tif 000007
【図７】
0004788283.tif 000008
【図８】
0004788283.tif 000009